(57)【要約】      （修正有）【課題】折り畳み可能で持ち運びに便利であるにもかかわらず、広げるという動作のみで切り妻状に保持される蓋部材を提供する。【解決手段】蓋部材は、矩形の開口部を有する容器の前記開口部を覆う蓋部材１００であって、切妻状に形成され、棟部１５で折り畳み可能な天板部１０と、前記天板部１０が切り妻状に配置された状態で前記天板部１０の外にそれぞれ略平面状態となる妻側側面部５０及び平側側面部４０とを有してなり、前記天板部１０は平面形状を維持可能な剛性を有し、前記棟部の前記妻側側面部５０における下方垂線αの片側又は両側に剛性部材４１が配置されている。【選択図】図１
2014240310.tif 000002
【特許請求の範囲】
【請求項１】
矩形の開口部を有する容器の前記開口部を覆う蓋部材であって、
切妻状に形成され、棟部で折り畳み可能な天板部と、
前記天板部が、斜面をなす切妻状に配置された状態で前記天板部の周囲にそれぞれ略平面状態となる妻側側面部及び平側側面部と、を有してなり、
前記天板部は、平面形状を維保持可能な剛性を有し、
前記棟部の前記妻側側面部における下方垂線の片側又は両側に剛性部材が配置されていることを特徴とする蓋部材。
【請求項２】
前記剛性部材は、平面板であることを特徴とする請求項１に記載の蓋部材。
【請求項３】
前記妻側側面部には、前記棟部の前記下方垂線の両側に前記平面板が配置されており、
前記両側の前記平面板は、互いの面が平行に配置することができるように、両側の前記平面板の間に前記平面板の厚さ２枚分以上間隔が設けられていることを特徴とする請求項２に記載の蓋部材。
【請求項４】
前記平側側面部の下方端部に棒状又は平板状の支持部材が配置されていることを特徴とする請求項１から３のいずれか１項に記載の蓋部材。
【請求項５】
前記妻側側面部と前記平側側面部との連結部近傍には、フックが設けられていることを特徴とする請求項１から４のいずれか１項に記載の蓋部材。
【発明の詳細な説明】
【技術分野】
【０００１】
本発明は、蓋部材に関し、特に折り畳み可能な蓋部材に関する。
【背景技術】
【０００２】
ゴミ容器等の上面が開口しているコンテナや箱に使用される蓋部材として、従来、廃棄物回収容器の開口部にかぶさる矩形の下枠と、この下枠に重なり開口部が下枠と同形状である食品用トレーを上下逆向きにした形や蒲鉾屋根型や切妻屋根型のいずれかの覆い部材からなり、その覆い部材は、上部中央にある梁に蝶番により開閉自在に設けられた覆い板と覆い板以外は穿孔板や網板で構成され、下枠と覆い部材に蝶番により付属する係止部の重ね合わせ部、または覆い板と下枠の重ね合わせ部には鍵が掛る仕組みになっているものがある（特許文献１）。
【０００３】
かかる蓋部材は、鳥や動物の食い荒らしの防止、雪の重みによる廃棄物回収容器内への潜り込みの防止、更には設置に無関係な第三者の廃棄物回収容器内への廃棄物投棄の防止が出来るという点では大変有効なものである。
【０００４】
しかしながら、この蓋部材はあくまでコンテナや箱等の容器に固定して使用されるものであるため、蓋部材を随時、取り付けたり、取り外したりすることが困難であり、また、持ち運びにも不便であるという問題があった。さらに、基本的に硬質の材用である網板を使用しているので、容器と一致した大きさを有していないと使用することができないという問題があった。
【０００５】
【特許文献１】特開２００７−１８６３４３号公報
【発明の開示】
【発明が解決しようとする課題】
【０００６】
そこで、本発明は、こうした課題を鑑みてなされたものであり、折り畳み可能で持ち運びに便利であるにもかかわらず、広げるという動作のみで切妻状に保持される蓋部材を提供することを目的とする。また、容器と多少大きさのずれがあっても使用することができる蓋部材を提供することも目的とする。
【課題を解決するための手段】
【０００７】
本発明は、上述の目的を達成するために、以下の手段を採った。
【０００８】
本発明にかかる蓋部材は、
矩形の開口部を有する容器の前記開口部を覆う蓋部材であって、
切妻状に形成され、棟部で折り畳み可能な天板部と、
前記天板部が切妻状に配置された状態で前記天板部の外周にそれぞれ略平行状態となる妻側側面部及び平側側面部と、を有してなり、
前記天板部は、平面形状を保持可能な剛性を有し、
前記棟部の前記妻側側面部における下方垂線の片側又は両側に剛性部材が配置されていることを特徴とする。
【０００９】
本発明のかかる蓋部材は、天板部が切妻状に配置された状態で平面となるように妻側側面部が設けられている。そのため、棟部の両側にある天板部が一定以上広がることが妻側側面部によって防止される。したがって、本発明の蓋部材は、蓋部材を広げるだけで切妻状に形状を保持でき、切妻型の蓋として機能する。そのため、容器内の内容物が鳥や動物によって食い荒らされることを防止することができ、雨、雪又は埃が箱やコンテナ内に入り込むことを有効に防止することができる。また、妻側側面部における、棟部からの下方垂線の片側又は両側に剛性部材が配置されているため、妻側側面部がシワになったり、予期しない部位で折り曲がったりすることを低減できる。また、剛性部材が配置されていることで、天板部の切妻形状をより確実に維持することができる。一方で、折り畳む際に折り畳み線となる下方垂線自体には剛性部材が配置されていないため、折り畳む際に剛性部材が邪魔になることなく折り畳むことができる。
【００１０】
また、本発明にかかる蓋部材において、前記剛性部材は、平面板であることを特徴とするものであってもよい。剛性部材を平面板とすることによって、蓋部材の天板を二つ折りに折り畳んだ際に、平面板が妻側側面部の平面状態を保持しつつ内側に折れ込んでいくため、妻側側面部が予期しない位置で折れ曲がることを効率的に防止して、自然に内側へ折り畳まれる。一方、天板部を広げた場合は、妻側側面部が平面板の重量により自然と垂直平面となる。よって、蓋部材の妻側側面部を下方に配置すれば、自然に広がった蓋部材として使用することができる。また、天板部を広げた際には、妻側側面部の棟部の下方垂線の片側又は両側に平面板が配置されているので、天板部の棟部近傍を平面板で支持でき、蓋部材が潰れることを防止することができ、より丈夫な蓋部材を提供することができる。
【００１１】
さらに、本発明にかかる蓋部材において、前記妻側側面部には、前記棟部の前記下方垂線の両側に前記平面板が配置されており、前記両側の前記平面板は、互いの面が平行に配置することができるように、両側の前記平面板の間に前記平面板の厚さ２枚分以上間隔が設けられていることを特徴とするものであってもよい。かかる構成を採用することによって、幅のある平面板によって一定の面積の妻側側面部が折れ曲がることが防止される。よって、周囲の妻側側面部もシワになりづらく、また意図しない部位で折れ曲がることが防止される。また、両側の平面板の間に平面板の厚さ２枚分以上の間隔が設けられることによって、蓋部材を折り畳んだ際に、平面板が内側に折れ込んだ状態で配置されるため、２枚の平面板を取り付けた場合であっても両側の平面板同士が干渉して折り畳みを邪魔することがない。
【００１２】
さらに、本発明にかかる蓋部材において、平側側面部の下方端部に棒状又は平板状の支持部材が配置されていることを特徴とするものであってもよい。かかる構成を採用することによって、平側側面部が折れ曲がることなく平面形態を保持しやすくなる。また、支持棒の重量により、容易に平側側面部が垂直状態になりやすくなる。
【００１３】
さらに、前記妻側側面部と平側側面部との連結部近傍には、フックが設けられていることを特徴とするものであってもよい。かかる構成を採用することによって、蓋部材を例えば、コンテナや箱等の容器に確実に取り付けることができ、風等によって吹き飛ばされる可能性を低減することができる。
【図面の簡単な説明】
【００１４】
【図１】第１実施形態にかかる蓋部材１００の斜視図及びＡ−Ａ断面図である。
【図２】第１実施形態にかかる蓋部材１００の天板部１０の変形例を示すＡ−Ａ断面図である。
【図３】第１実施形態にかかる蓋部材１００のＢ−Ｂ断面図である。
【図４】第１実施形態にかかる蓋部材１００の使用状態を示す斜視図である。
【図５】第１実施形態にかかる蓋部材１００を折り畳む工程の一部を示す模式図である。
【図６】第１実施形態にかかる蓋部材１００を折り畳む工程の一部を示す模式図である。
【発明を実施するための形態】
【００１５】
以下、本発明を実施するための形態について、図面に沿って詳細に説明する。なお、以下に説明する実施形態及び図面は、本発明の実施形態の一部を例示するものであり、これらの構成に限定する目的に使用されるものではない。なお、各図において対応する構成要素には同一又は類似の符号が付されている。なお、本明細書及び特許請求の範囲において、蓋部材の形態が切妻屋根と形状が類似しているので、場所、位置等を説明するものとして切妻屋根と同等の位置を同様の名称で説明する。
【００１６】
（第１実施形態）
第１実施形態にかかる蓋部材１００は、図１に示すように、天板部１０、天板部１０の周囲を覆う妻側側面部５０、平側側面部４０及びフック６０からなる。蓋部材１００は、全体が軟質の樹脂シートで作製されており、後述する種々の部材等で剛性を与えられている部位以外は柔軟性を有し、自在に折り曲げたり、畳んだりすることができる。
【００１７】
天板部１０は、棟部の両側にある左側天板部１１及び右側天板部１２がそれぞれ斜面に配置された切妻状に形成される。天板部１０は、図１のＡ−Ａ断面図に示すように、ダンボールプラスチックを芯材１３として用い、芯材１３を軟質な樹脂シートでからなる外装用シート１４で両面を覆ってある。この芯材により天板部１０は多少の雪を被っても切妻屋根の形態を維持できる程度の剛性を有している。また、外装用シート１４で両面を覆っているので、雨や埃にも強い天板部１０とすることができる。さらに、芯材１３は、左側天板部１１と右側天板部１２との間に棟部１５に相当する位置に薄肉部１５ａを設けてある。そのため、左側天板部１１と右側天板部１２が互いに平行になるまで折り畳むことができる。
【００１８】
なお、天板部１０の形態としては、必ずしも上述した形態に限定するものではなく、左側天板部１１と右側天板部１２が平面形状を維持可能な剛性を有し、かつ棟部１５で折り曲げ可能であれば、その素材及び形態は特に限定するものではない。例えば、芯材１３としては、ダンボールプラスチックの他、プラスチック板、木製の板等を使用してもよい。また、外装用シート１４も特に限定するものではなく、柔軟性があり、かつ容易に破れないものであれば種々の素材を採用することができる。また、天板部１０の形態としては、図２Ａに示すように、左側天板部１１と右側天板部１２に挿入される芯材１３をそれぞれ別体物として作製し、棟部１５の両側にそれぞれの芯材１３ａ、１３ｂが配置されるようにしてもよい。棟部１５は、外装用シート１４のみが存在し、芯材１３が配置されていないので、前述したように芯材１３の剛性によって折り曲げづらくなることがなく、より容易に左側天板部１１と右側天板部１２を平行に折り畳むことができる。さらに、図２Ｂに示すように、天板部１０の平面部の一部に外装用シート１４を取り付けることなく、ダンボールプラスチックである芯材１３が剥き出しの状態であってもよい。
【００１９】
天板部１０の周囲には、軟質の樹脂シートで作製された側面が形成される。側面は、平側に配置される平側側面部４０と、妻側に配置される妻側側面部５０とからなる。
【００２０】
平側側面部４０は、図４に示すように、天板部１０の軒先側に設けられる四角形の側面部である。平側側面部４０の下方端部は、図１のＡ−Ａ断面図に示すように、折り返されて袋状に形成されており、袋状の内部には、剛性を有する直線の棒状又は平板状の支持部材４１が挿入されており、力を加えると湾曲させることができるが、力を抜くと容易に直線状に復帰する。これにより、平側側面部４０は、水平方向には直線状態を保持しやすい。支持部材４１としては、高剛性を有する金属線又はピアノ線を使用することが望ましい。
【００２１】
妻側側面部５０は、天板部１０が切妻状の形態である場合に妻面を形成する五角形からなる側面部である。妻側側面部５０は、天板部１０が切妻状の形態である場合に平面となるように形成されているため、右側天板部１２と左側天板部１１とがある一定以上広がる（すなわち平面状になる）ことが防止され、右側天板部１２と左側天板部１１とは切妻状の屋根形状を保持することができる。妻側側面部５０には、図３に示すように、棟部１５から妻側側面部５０への下方垂線αの両側に剛性部材５１が上端近傍から下端近傍まで設けられている。剛性部材５１は、板状のダンボールプラスチックからなる平面板であり、これにより棟部１５から下方垂線α近傍の妻側側面部５０に予期しないシワが発生したり、折れ曲がったりしづらくなる。また、天板部１０の切妻形状をより確実に維持させることができる。平面板からなる剛性部材５１は、下方垂線の両側に配置される剛性部材５１と剛性部材５１とは、互いに剛性部材５１の厚さβの２倍以上の距離γを開けて取り付けられる。これにより、折り畳む際（図５Ａから図６Ｂに至る際）両側に配置される剛性部材５１を平行に重ねて折り畳むことができる。この剛性部材５１を設けることで、天板部１０を広げる際には、妻側側面部５０が平面板の重量により自然と垂直平面の状態となる。また、天板部１０を広げた際には、天板部１０の妻側側面部５０の棟部１５の下方垂線αの片側又は両側に剛性部材５１が配置されているので、天板部１０の棟部１５近傍を剛性部材５１で支持でき、蓋部材１００が潰れることを防止することができるより丈夫な蓋部材１００とすることができる。
【００２２】
また、平側側面部４０と妻側側面部５０とは、それぞれ側方端部が連結されて周囲を囲むように形成される。平側側面部４０と妻側側面部５０との連結部４５は図５Ａの拡大図に示すように、それぞれの樹脂シートの裏面側が対面するように結合されている。かかる構成を採用することによって、蓋部材１００を折り畳む際に、妻側側面部５０が内側に折り畳まれやすくなる。
【００２３】
そして、図１に示すように、平側側面部４０と妻側側面部５０との連結部の下方端部からゴム等の弾性部材を介してフック６０が取り付けられている。第１実施形態では、引っ掛けるタイプのＳ字型の形態のものを例示しているが、フック６０の形態は特に限定するものではない。
【００２４】
以上のように作製された蓋部材１００は、以下のようにして使用される。蓋部材１００が、蓋部材１００よりも若干小さな容器２００の蓋として使用されている状態（開いている状態）が図４に示されている。この開いている状態では、平側側面部４０が下方の容器２００によって外側に広げられているので、妻側側面部５０は平面状に張った状態になる。したがって、これ以上、左側天板部１１と右側天板部１２が広がることができず、切妻状の形態を保持することができる。そのため、この状態で多少の重量物が天板部１０に載置しても、この形態を維持することができ、雨、雪又は埃が天板部１０に降っても外側へ排出することができる。また、平側側面部４０の下端には、剛性がある支持部材４１が挿入されていることから、平側側面部４０の一部が外側方向に押さえてあれば、妻側側面部５０の側方端部が引っ張られて平面状態を確保することができ、天板部１０の切妻状態を維持することができる。そのため、長さβが平側側面部４０よりも短い容器２００であっても使用することができる。また、容器２００の幅δが妻側側面部５０の幅よりも多少長い場合であっても、支持部材４１はある程度は湾曲するので、平側側面部４０が広がることによって容器２００の蓋として機能する。このように本実施形態にかかる蓋部材１００は、長さ方向βに関しては、容器２００より長い場合であっても問題なく使用することができ、幅方向δに関しては、容器２００より多少短くても蓋部材１００として使用することができる。このように本実施形態にかかる蓋部材１００は、多少容器との大きさが異なっていても問題なく使用することができ、汎用性に優れる。
【００２５】
この使用状態から蓋部材１００を収納する手順は以下のとおりである。まず、引っ掛けてあるフック６０（図示せず。）を容器２００から外し、蓋部材１００を容器２００から取り外す。そして、図５Ａに示すように広げた状態から、図５Ｂに示すように蓋部材１００の平側側面部４０又は妻側側面部５０のいずれか若しくは両方を内側へ折り畳む。平側側面部４０を最初に内側へ折り畳んだときは、平側側面部４０と妻側側面部５０の側方端部の連結部４５はそれぞれの樹脂シートの裏面側が対面するように結合されているから、妻側側面部５０が若干内側へ付勢されているため、自然に妻側側面部５０が内側へ折り畳まれていく。一方で、妻側側面部５０を先に内側へ折り畳んだときには、平側側面部４０が引っ張られて折り畳まれていく。そのため、平側側面部４０と妻側側面部５０のいずれから折り畳んだ場合でも、平側側面部４０が妻側側面部５０の外側に配置されることになる。この場合に、妻側側面部５０には剛性部材５１が挿入されているので、図５に示すように、折り畳むときに、多少乱雑に折り畳まれた場合であっても一定の折れ線部分以外にシワがよったり、意図しない部分で折り曲げられたりすることが少なくなる。すなわち、剛性部材５１によって、シワや意図しない折り曲げ部が引き伸ばされて、妻側側面部５０が平側側面部４０の内側にきちんと所定の折れ線（図５Ｂの山折り線や谷折り線）で折り畳まれやすくなる。そして、この状態から左側天板部１１と右側天板部１２とを折り畳んでいくと、図６Ａに示すように、妻側側面部５０が天板部１０と平行な状態までさらに内側へ折り畳まれていく。さらに、図６Ｂに示すように、２つの剛性部材５１が互いに平行状態に配置される。この際に、２つの剛性部材５１の間には、平行に配置するのに十分な間隔が形成されているので、容易に平行状態にすることができる。そして、左側天板部１１と右側天板部１２とが平行となった状態で蓋部材１００全体が平板状に折り畳まれる。こうして立体的な形態である蓋部材１００は折り畳まれた状態で収納することができる。また、剛性部材５１を設けることで、折り畳む際に剛性部材５１が棟部１５に沿って天端部１０の裏面に配置される。折り曲げ線も下方垂線αの位置でくせづけされる。そのため使用回数が増えるにしたがって折り曲げグセがつき、常に好適な形態で折り畳まれやすくなる。なお、再度、蓋部材１００として使用する場合は、前述した工程の逆に行えばよい。
【００２６】
以上のように作製された蓋部材１００は、比較的大きな蓋部材１００であっても、平面状にコンパクトに収納することができ、運搬が容易である。また、主として、プラスチック部材や柔軟な樹脂シートを用いて作製することができるので、非常に軽量な蓋部材とすることができる。
【００２７】
なお、本発明は上述した実施形態に何ら限定されるものではなく、本発明の技術的範囲に属する限り種々の態様で実施しうる。
【産業上の利用可能性】
【００２８】
上述した実施の形態で示すように、容器等の蓋部材として産業上利用可能である。
【符号の説明】
【００２９】
１０…天板部、１１…左側天板部、１２…右側天板部、１３…芯材、１３ａ…芯材、
１３ｂ…芯材、１４…外装用シート、１５…棟部、２０…妻側側面部、
４０…平側側面部、４１…支持部材、４５…連結部、５０…妻側側面部、
５１…剛性部材、６０…フック、１００…蓋部材
【図１】
2014240310.tif 000003
【図２】
2014240310.tif 000004
【図３】
2014240310.tif 000005
【図４】
2014240310.tif 000006
【図５】
2014240310.tif 000007
【図６】
2014240310.tif 000008